(57)【要約】【課題】  スロットイン方式の利便性を維持し、蓋体によってディスクを破損させることなくアンロード可能なディスク再生機能付きテレビジョンおよびディスク再生装置の提供を課題とする。【解決手段】  第二の作用点２４の回転軌道上に境界点が存在するようにしたため、境界点を境界として開口１２ａが開放するようにも、閉鎖するようにも、回転式ドア２０をトーションバネ４０の付勢力によって付勢することができる。これにより、第二の作用点２４が境界点に到達するまでは開口１２ａをドア板２１によって確実に閉鎖することができるとともに、第二の作用点２４が境界点に到達した後はディスクＤに押し上げられなくても開状態となるように回転式ドア２０を回動させることができる。従って、ディスクＤをアンロードする際の抵抗が減るとともに、ディスクＤとドア板２１との接触によりディスクＤに傷が付くことも防止できる。【選択図】  図７  
2006040340.tif 000002
【特許請求の範囲】
【請求項１】
薄板状のディスクをスロットインさせるための開口が設けられる筐体と、回動することにより同開口を開閉させる回転式ドアとを具備するディスク再生機能付きテレビジョンにおいて、
上記ディスクを把持し上記筐体の外側に押し出すアンローダを具備し、
上記回動式ドアは、
上方に開口する上記開口を塞ぐとともに、上記アンローダによって上方に押し出された上記ディスクの先端が当接することにより、上記筐体に備えられたモニタの表示面側から起こされて上記開口を開放させる方向に押圧される略板状のドア板と、
上記ドア板における同ドア板と上記ディスクの先端との当接部位において、両者の当接面積を増大させるように形成された緩衝機構と、
上記ドア板の両端からそれぞれ上記筐体の内側に向かって立設された一対のアームと、
上記アームのそれぞれから立設され上記筐体内部に設けられた一対の軸受けにそれぞれ軸受けされる一対の回動軸とを具備し、
一端が上記筐体に形成された第一の作用点に保持され、もう一端が上記回転式ドアにおける上記アームに形成された第二の作用点に保持され、両端間に付勢力を作用させるトーションバネが備えられるとともに、
上記アンローダによって押し出された上記ディスクの先端に押圧されて上記回転式ドアが回動する際の上記第二の作用点の回転軌道上には、同第二の作用点に作用する上記トーションバネの付勢力の作用線上に上記回動軸が位置する境界点が存在することを特徴とするディスク再生機能付きテレビジョン。
【請求項２】
薄板状のディスクをスロットインさせるための開口が設けられる筐体と、回動することにより同開口を開閉させる回転式ドアとを具備するディスク再生装置において、
上記回動式ドアは、
上記開口を塞ぐ略板状のドア板と、
上記ドア板の両端からそれぞれ上記筐体の内側に向かって立設された一対のアームと、
上記アームのそれぞれから立設され上記筐体内部に設けられた一対の軸受けにそれぞれ軸受けされる一対の回動軸とを具備し、
一端が上記筐体に形成された第一の作用点に保持され、もう一端が上記回転式ドアにおける上記アームに形成された第二の作用点に保持され、両端間に付勢力を作用させるバネが備えられるとともに、
上記開口が開状態から閉状態となるまでの上記第二の作用点の回転軌道上には、同第二の作用点に作用する上記バネの付勢力の作用線上に上記回動軸が位置する境界点が存在することを特徴とするディスク再生装置。
【請求項３】
上記ディスクを把持し上記筐体の外側に押し出すアンローダが上記筐体内部に備えられるとともに、
上記アンローダによって外側に押し出された上記ディスクの先端が上記ドア板に当接し、押圧することにより、同ドア板が上記開口を開放させる方向に回動され、その際に上記第二の作用点が上記境界点に達することを特徴とする請求項２に記載のディスク再生装置。
【請求項４】
上記ドア板における上記ディスクの先端が当接する部位には、同ドア板と同先端とが当接する際の衝撃を和らげる緩衝機構が備えられることを特徴とする請求項３に記載のディスク再生装置。
【請求項５】
上記緩衝機構は、
上記ドア板と上記ディスクの先端との当接部位において、両者の当接面積を増大させるように形成された構造であることを特徴とする請求項４に記載のディスク再生装置。
【請求項６】
上記緩衝機構は、
上記ドア板と上記ディスクの先端との当接部位に衝撃吸収素材を配設することにより形成されることを特徴とする請求項４に記載のディスク再生装置。
【発明の詳細な説明】
【技術分野】
【０００１】
本発明は、ディスクをスロットインさせることができるディスク再生機能付きテレビジョンおよびディスク再生装置に関するものである。
【背景技術】
【０００２】
従来、この種のディスク再生装置として、バネによる付勢力を常時蓋体を開放させる方向に作用されたものが知られている（例えば、特許文献１、参照。）。
かかる構成によれば、一度、蓋体の開放動作が開始すれば、バネの付勢によって蓋体の開放が完了されるため、確実に蓋体を開放してＣＤ等の出し入れを行うことが可能であった。なお、蓋体を閉状態とする場合には、バネの付勢力に対抗しなければならないため、閉状態の蓋体と筐体とを固定する固定機構が備えられる。従って、蓋体の開放動作が開始させるためには、少なくとも固定機構による固定を解除しておく必要がある。
【特許文献１】特開平１１−４６９１１号公報
【発明の開示】
【発明が解決しようとする課題】
【０００３】
しかしながら、スロットイン方式の場合、ディスクが直接筐体の外部にアンロードされるため、上述した蓋体がこれを阻害してしまう。場合によっては、蓋体とアンロードされたディスクとが衝突して、ディスクが破損してしまうことも考えられる。むろん、予め固定機構による固定を解除し、蓋体を開放させておけばアンロードを阻害させないようにすることも可能であるが、これではスロットイン方式の利便性が損なわれてしまう。
【０００４】
本発明は、上記課題にかんがみてなされたもので、スロットイン方式の利便性を維持し、蓋体によってディスクを破損させることなくアンロード可能なディスク再生機能付きテレビジョンおよびディスク再生装置を提供することを目的とする。
【課題を解決するための手段】
【０００５】
上記目的を達成するため、請求項１にかかる発明は、薄板状のディスクをスロットインさせるための開口が設けられる筐体と、回動することにより同開口を開閉させる回転式ドアとを具備するディスク再生機能付きテレビジョンにおいて、
上記ディスクを把持し上記筐体の外側に押し出すアンローダを具備し、上記回動式ドアは、上方に開口する上記開口を塞ぐとともに、上記アンローダによって上方に押し出された上記ディスクの先端が当接することにより、上記筐体に備えられたモニタの表示面側から起こされて上記開口を開放させる方向に押圧される略板状のドア板と、上記ドア板における同ドア板と上記ディスクの先端との当接部位において、両者の当接面積を増大させるように形成された緩衝機構と、上記ドア板の両端からそれぞれ上記筐体の内側に向かって立設された一対のアームと、上記アームのそれぞれから立設され上記筐体内部に設けられた一対の軸受けにそれぞれ軸受けされる一対の回動軸とを具備し、一端が上記筐体に形成された第一の作用点に保持され、もう一端が上記回転式ドアにおける上記アームに形成された第二の作用点に保持され、両端間に付勢力を作用させるトーションバネが備えられるとともに、上記アンローダによって押し出された上記ディスクの先端に押圧されて上記回転式ドアが回動する際の上記第二の作用点の回転軌道上には、同第二の作用点に作用する上記トーションバネの付勢力の作用線上に上記回動軸が位置する境界点が存在する構成としてある。
【０００６】
すなわち、回転式ドアが回動することにより薄板状のディスクをスロットインさせるための開口を開閉させることができる。アンローダは上記ディスクを把持するとともに、同ディスクを上記筐体の外側に押し出すことができる。上記回動式ドアは略板状のドア板を有し、同ドア板の両端から一対のアームが上記筐体の内側に向かってそれぞれ立設される。上記アームのそれぞれから一対のアームが上記筐体の内側に向かって立設され、同一対のアームは上記筐体内部に設けられた一対の軸受けにそれぞれ軸受けされる。これにより、上記回転式ドアを上記筐体に対して回動可能とすることができる。
【０００７】
上記ドア板は、上方に開口する上記開口を塞ぐとともに、上記アンローダによって外側に押し出された上記ディスクの先端が当接することにより上記開口を開放させる方向に押圧される。すなわち、上記ディスクを上記アンローダによってアンロードすることにより、上記開口を開放させるように上記回転式ドアが上記筐体に備えられたモニタの表示面側から起こされるように回動させることができる。また、上記ドア板と上記ディスクの先端との当接部位において、両者の当接面積を増大させる緩衝機構が形成される。これにより、上記ドア板と上記ディスクの先端との当接による衝撃を分散させ上記ディスクが破損することを防止することができる。
【０００８】
上記筐体には第一の作用点が形成されるとともに、上記回転式ドアにおける上記アームには第二の作用点が形成される。そして、一端が上記第一の作用点に保持され、もう一端が第二の作用点に保持されるトーションバネが備えられる。このトーションバネは、同トーションバネの両端間に作用する付勢力を有するように形成されている。かかる構成により、上記回転式ドアに上記トーションバネの付勢力を作用させることができる。
【０００９】
上記アンローダによって押し出された上記ディスクの先端によって、上記ドア板が押圧されて上記回転式ドアが回動する際に、同回転式ドアに形成された上記記第二の作用点は所定の回転軌道上を移動することとなる。この軌道上において、上記第二の作用点に作用する上記トーションバネの付勢力の作用線上に上記回動軸が位置する境界点が存在するように形成される。すなわち、上記ディスクを上記アンローダによってアンロードする際に、上記第二の作用点が上記境界点を通過することができる。
【００１０】
上記境界点においては、上記第二の作用点に作用する上記トーションバネの付勢力の作用線上に上記回動軸が位置する。従って、上記第二の作用点は上記回動軸を中心として回転可能に形成されるが、同第二の作用点に作用する上記トーションバネの付勢力から同第二の作用点を回転させるモーメントが生じない。一方、上記境界点からずれた軌道上に上記第二の作用点が位置する場合には、同第二の作用点に作用する上記トーションバネの付勢力の作用線上に上記回動軸が位置しなくなる。従って、上記第二の作用点を回転させるモーメントが生じ、上記回転式ドアがいずれかの方向に回動するように付勢されることとなる。
【００１１】
また、上記回転式ドアが付勢される回転方向は上記境界点を境界として反対方向となる。従って、上記第二の作用点が上記境界点を通過するまでは、上記回転式ドアを上記開口が閉鎖される回転方向に付勢することができるとともに、上記第二の作用点が上記境界点を通過した後は、上記回転式ドアを上記開口が開放される回転方向に付勢することができる。このようにすることにより、上記ディスクを所定量アンロードし上記ドア板を押圧することにより、予め上記開口が閉状態となるように付勢されていた上記回転式ドアを、上記トーションバネの付勢力のみで同開口が開状態となるように回動させることができる。すなわち、アンロード前においては上記開口を確実に閉鎖するとともに、アンロード時においては上記開口を確実に開放することができる。むろん、アンロード時に上記ドア板を押圧する上記ディスクにかかる負荷も低減することができる。
【００１２】
さらに、請求項２にかかる発明は、薄板状のディスクをスロットインさせるための開口が設けられる筐体と、回動することにより同開口を開閉させる回転式ドアとを具備するディスク再生装置において、
上記回動式ドアは、上記開口を塞ぐ略板状のドア板と、上記ドア板の両端からそれぞれ上記筐体の内側に向かって立設された一対のアームと、上記アームのそれぞれから立設され上記筐体内部に設けられた一対の軸受けにそれぞれ軸受けされる一対の回動軸とを具備し、一端が上記筐体に形成された第一の作用点に保持され、もう一端が上記回転式ドアにおける上記アームに形成された第二の作用点に保持され、両端間に付勢力を作用させるバネが備えられるとともに、上記開口が開状態から閉状態となるまでの上記第二の作用点の回転軌道上には、同第二の作用点に作用する上記バネの付勢力の作用線上に上記回動軸が位置する境界点が存在する構成としてある。
【００１３】
すなわち、回転式ドアが回動することにより薄板状のディスクをスロットインさせるための開口を開閉させることができる。上記回動式ドアは略板状のドア板を有し、同ドア板の両端から一対のアームがそれぞれ立設される。上記アームのそれぞれから一対のアームが立設され、同一対のアームは上記筐体内部に設けられた一対の軸受けにそれぞれ軸受けされる。これにより、上記回転式ドアを上記筐体に対して回動可能とすることができる。
【００１４】
上記筐体には第一の作用点が形成されるとともに、上記回転式ドアにおける上記アームには第二の作用点が形成される。そして、一端が上記第一の作用点に保持され、もう一端が第二の作用点に保持されるバネが備えられる。このバネは、同バネの両端間に作用する付勢力を有するように形成されている。かかる構成により、上記回転式ドアに上記バネの付勢力を作用させることができる。
【００１５】
上記開口が閉状態から開状態となるように上記回転式ドアが回動する際に、同回転式ドアに形成された上記記第二の作用点は所定の回転軌道上を移動することとなる。この軌道上において、上記第二の作用点に作用する上記バネの付勢力の作用線上に上記回動軸が位置する境界点が存在するように形成される。
【００１６】
上記境界点においては、上記第二の作用点に作用する上記バネの付勢力の作用線上に上記回動軸が位置する。従って、上記第二の作用点は上記回動軸を中心として回転可能に形成されるが、同第二の作用点に作用する上記バネの付勢力から同第二の作用点を回転させるモーメントが生じない。一方、上記境界点からずれた軌道上に上記第二の作用点が位置する場合には、同第二の作用点に作用する上記バネの付勢力の作用線上に上記回動軸が位置しなくなる。従って、上記第二の作用点を回転させるモーメントが生じ、上記回転式ドアがいずれかの方向に回動するように付勢されることとなる。
【００１７】
また、上記回転式ドアが付勢される回転方向は上記境界点を境界として反対方向となる。従って、上記第二の作用点が上記境界点を通過するまでは、上記回転式ドアを上記開口が閉鎖される回転方向に付勢することができるとともに、上記第二の作用点が上記境界点を通過した後は、上記回転式ドアを上記開口が開放される回転方向に付勢することができる。このようにすることにより、予め上記開口が閉状態となるように付勢されていた上記回転式ドアを、上記バネの付勢力のみで同開口が開状態となるように回動させることができる。すなわち、所定の条件により上記開口を確実に閉鎖するとともに、上記開口を確実に開放することができる。
【００１８】
さらに、請求項３にかかる発明は、上記ディスクを把持し上記筐体の外側に押し出すアンローダが上記筐体内部に備えられるとともに、上記アンローダによって外側に押し出された上記ディスクの先端が上記ドア板に当接し、押圧することにより、同ドア板が上記開口を開放させる方向に回動され、その際に上記第二の作用点が上記境界点に達する構成としてある。
【００１９】
すなわち、上記アンローダによって上記ディスクを上記筐体からアンロードさせる際に、上記第二の作用点が上記境界点を通過するようにすることができる。従って、アンロード前においては上記開口を確実に閉鎖するとともに、アンロード時においては上記開口を確実に開放することができる。むろん、アンロード時に上記ドア板を押圧する上記ディスクにかかる負荷も低減することができる。
【００２０】
さらに、請求項４にかかる発明は、上記ドア板における上記ディスクの先端が当接する部位には、同ドア板と同先端とが当接する際の衝撃を和らげる緩衝機構が備えられる構成としてある。
すなわち、上記ドア板と上記ディスクの先端とが当接する際の、衝撃を和らげることができるため、同ディスクが破損することが防止できる。
【００２１】
さらに、請求項５にかかる発明は、上記緩衝機構は、上記ドア板と上記ディスクの先端との当接部位において、両者の当接面積を増大させるように形成された構造である構成としてある。
【００２２】
すなわち、上記ドア板と上記ディスクの先端との当接部位において、両者の当接面積が増大する。これにより、上記ドア板と上記ディスクの先端との当接による衝撃を分散させ上記ディスクが破損することを防止することができる。
【００２３】
さらに、請求項６にかかる発明は、上記緩衝機構は、上記ドア板と上記ディスクの先端との当接部位に衝撃吸収素材を配設することにより形成される構成としてある。
すなわち、上記ドア板と上記ディスクの先端との当接部位に衝撃吸収素材を配設することによっても、同ドア板と同ディスクの先端との衝撃を緩和することができる。
【発明の効果】
【００２４】
以上説明したように請求項１および請求項２にかかる発明によれば、スロットイン方式の利便性を維持し、蓋体によってディスクを破損させることなくアンロード可能なディスク再生機能付きテレビジョンおよびディスク再生装置を提供することができる。
また、請求項３にかかる発明によれば、開口を開放させつつ、アンローダにてディスクを排出することができる。
さらに、請求項４にかかる発明によれば、ディスクの破損が防止できる。
【００２５】
さらに、請求項５にかかる発明によれば、簡易な構造でディスクの破損が防止できる。
さらに、請求項６にかかる発明によれば、より確実にディスクの破損が防止できる。
【発明を実施するための最良の形態】
【００２６】
図１は、本発明にかかるディスク再生装置としてディスク再生機能付き液晶テレビジョンを斜めから見て示している。なお、本発明は、少なくともディスクがスロットイン可能な機器であれば適用可能であり、ＤＶＤプレーヤのようにディスク再生機能が単体で備えられる機器においても適用することができる。また、ディスク再生機能付き液晶テレビジョンのように他の機器に組み入れられても良く、パーソナルコンピュータ等のディスクドライブ等に適用することも可能である。むろん、再生機能以外に書き込み機能等を有してるものであっても、当然適用することが可能である。また、薄板状でスロットイン可能なディスクであれば良く、ＣＤ，ＣＤ−Ｒ，ＣＤ−ＲＷ，ＤＶＤ，ＭＤ，ＦＤ，各種メモリカード等を再生する機器に本発明を適用することも可能である。
【００２７】
図１において、液晶テレビジョン１０は厚みの薄い略矩形板状の筐体１２を有している。筐体１２は図示しないスタンドや壁掛け機構等により略鉛直に正立させられており、その正立状態における正面側に矩形状の開口を有している。同開口には液晶パネル１１が嵌め込まれており、同液晶パネル１１において映像を再現することが可能となっている。
【００２８】
筐体１２の上面には、幅方向に細長い矩形状の開口１２ａが形成されており、同開口１２ａによって筐体１２の内部と外部とが連通している。また、開口１２ａの内側には、回転式ドア２０が取り付けられており、同回転式ドア２０が備える略板状のドア板２１によって開口１２ａが塞がれている。回転式ドア２０は筐体１２に対して回動可能に取り付けられており、回転式ドア２０が回動することにより開口１２ａに対してドア板２１が回動する。このようにすることにより、開口１２ａを開閉することが可能となっている。
【００２９】
図２は、回転式ドア２０を斜めから見て示している。なお、同図において、回転式ドア２０は筐体１２から取り外された状態である。回転式ドア２０は開口１２ａよりもわずかに外形が小さく形成された略板状のドア板２１を有しており、その長手方向両端から一対のアーム２２，２２が延設されている。各アーム２２，２２は略コの字状に形成されており、ドア板２１と接合しない端部にはそれぞれ幅方向外側に突出する略円柱状の回動軸２３，２３が形成されている。一方のアーム２２における回動軸２３から所定量離れた位置には円形の穴２４が形成されている。なお、同図において上方となる方向をドア板２１の表側と規定する。図３は、回転式ドア２０をドア板２１の裏側から示している。同図において、ドア板２１の裏側には幅方向に細長い畝状の突出構造２５が形成されている。
【００３０】
図４は、液晶テレビジョン１０の断面を示している。なお、同図は、液晶テレビジョン１０をドア板２１の幅方向端部のわずか外側にて幅方向に対して直交する方向に切断したときの断面を示しており、そのうち上方部分を拡大して示している。同図において、筐体１２は中空状に形成されており、前面側に開口が形成されている。この開口から前面を臨むように液晶パネル１１が取り付けられている。筐体１２の上面には開口１２ａが形成されており、同上面における開口１２ａの前方部位には内側に突出する固定片１２ｂが形成されている。一方、筐体１２の上面における開口１２ａの後方部位には内側に突出する軸受け片１２ｃが延設されている。
【００３１】
軸受け片１２ｃの先端部位には円形の軸受け穴１３が形成されており、同軸受け穴１３の径は回動軸２３の径よりもわずかに大きく形成されている。筐体１２の内部にはＤＶＤドライブユニット３０が収容されている。ＤＶＤドライブユニット３０は略箱状に形成されており、その内部に少なくともディスクチャック機構やディスク回転機構や光学式読み取り機構等が備えられている。ＤＶＤドライブユニット３０は、ＤＶＤディスクやＣＤディスクを内部に導入するためのローダと、外部に排出するためのアンローダとを備えている。
【００３２】
例えば、図において破線で示すように、互いに接近および離反することと、それぞれ回転することが可能な一対のローラ３１，３１によって、ディスクの導入と排出を行うローダおよびアンローダを構成することができる。まず、ローラ３１，３１が互いに接近することによりディスクを厚み方向に挟み込んで把持することができる。その後、ローラ３１，３１が回転方向Ｒ１の方向に回転するとディスクを上方にアンロードすることができるし、ローラ３１，３１が回転方向Ｒ２の方向に回転するとディスクを下方にロードすることができる。
【００３３】
ディスクをアンロードする場合には、例えばイジェクト操作に応じてディスクチャック機構が予め離反させておいたローラ３１，３１に挟まれる位置にディスクを移動させる。そして、そのことを検知するとともに、ローラ３１，３１を互いに接近させ、ディスクを把持してアンロードを行うことができる。所定量ディスクを上方に送り出し、ディスクが筐体１２の開口１２ａから所定量突出したところで、ローラ３１，３１の転動を停止し、その後は使用者の手によって取り出される。なお、ローラ３１，３１の転動を停止させるときの、ディスクが筐体１２の開口１２ａから突出する量は、ディスクの中心の形成されたチャック穴全体が開口１２ａの外側に位置する量とされている。
【００３４】
このようにすることにより、使用者はチャック穴に指を入れてディスクを持つことができるため、ディスク取り出しを容易に行うことができる。また、光学式読み取り機構は後方から前方に向かって読み取りレーザを照射するように配設されている。従って、ディスクは、記憶面を後方に向け、レーベル面を前面に向けた状態で取り扱われる。このようにすることにより、前面のレーベル面を視認しつつ取り扱うことができ、ディスクの判別が容易となる。また、記録面が方向に配向するため、前面から手でディスクを取り扱う場合に、誤って記録面に触れる可能性を低減することができる。
【００３５】
ディスクをロードする場合には、使用者がディスクを持って開口１２ａスロットインさせる。そして、所定量ディスクを下方に予め離反されていたローラ３１，３１が互いに接近し、ディスクを把持する。その後、ローラ３１，３１が回転方向Ｒ２の方向に回転することにより、ディスクをＤＶＤドライブユニット３０の内部にロードすることができる。なお、開口１２ａはディスクの径および厚みよりも幅が大きく形成されているため、開口１２ａを介して、正立した状態のディスクをロード、アンロードすることが可能となっている。
【００３６】
図４において、回転式ドア２０は、回動軸２３を軸受け穴１３に挿入させることにより、筐体１２に保持されている。なお、図示しないが紙面奥方の回動軸２３も同様に紙面奥方に備えられた軸受け穴にて軸受けされている。このようにすることにより、回転式ドア２０は回動軸２３を中心として回動することが可能となる。なお、一対の回動軸２３，２３は共通の軸上に位置するように形成されているため、回動軸２３，２３によって共通の回動軸を構成することが可能である。
【００３７】
回転式ドア２０は、線状の金属ワイヤーを所定形状に湾曲させて形成したトーションバネ４０を介して筐体１２の固定片１２ｂと連結している。トーションバネ４０は円形コイル状のコイル部を形成し、両端４０ａ，４０ｂをそれぞれ同コイル部の接線方向に線状に延出することにより形成されている。そして、トーションバネ４０の一方の端部４０ａの先端は固定片１２ｂに形成された円形の穴１４に挿し込まれており、もう一方の端部４０ｂの先端はアーム２２に形成された穴２４に挿し込まれている。トーションバネ４０の両端４０ａ，４０ｂの先端がそれぞれ挿し込まれた穴１４，２４はトーションバネ４０を構成するワイヤーよりも径が大きく形成されており、穴１４，２４の内部においてトーションバネ４０の両端４０ａ，４０ｂはそれぞれ回動することが可能となっている。なお、トーションバネ４０は、同トーションバネ４０の両端４０ａ，４０ｂがなす角度を鈍角とする方向に付勢力を有している。
【００３８】
図５および図６は、ディスクがアンロードされる状態を示している。図５において、ローラ３１，３１はディスクＤを厚み方向に把持しており、それぞれ回転方向Ｒ１に回動することにより、ディスクＤを上方に押し出している。上方に押し出されたディスクＤの先端はドア板２１に接触し、そのままドア板２１を上方に押し上げている。ドア板２１が上方に押し上げられるため、回転式ドア２０はドア板２１が液晶パネル１１の表示面側から起こされるように上方に跳ね上げられる。回転式ドア２０は回動可能に取り付けられているため、ディスクＤのアンロードを妨げないようにすることができる。なお、アーム２２，２２の間隔はディスクＤの径よりも大きく確保されているため、アーム２２，２２の間にてアンロードされるディスクＤがアーム２２，２２に干渉してしまうことはない。
【００３９】
一方、図６においては、ディスクＤの先端とドア板２１とが接触していない。すなわち、回転式ドア２０はドア板２１がディスクＤの先端に押し上げられることにより、開口１２ａを開放させる方向に回動させられているのではなく、トーションバネ４０の付勢力によって開口１２ａを開放させる方向に回動させられている。ある程度回転式ドア２０が回動すると、ドア板２１は徐々に起こされてディスクＤの記録面側に位置させられる。そのため、ディスクＤとドア板２１とが接触していると、ドア板２１がディスクＤの記録面側に触れて傷を付けることとなる。
【００４０】
しかし、ある程度回転式ドア２０が回動したところで、ドア板２１がトーションバネ４０の付勢力によって跳ね上げられる。すなわち、ディスクＤがドア板２１と接触して同ドア板２１を押し上げなくても、ドア板２１をトーションバネ４０の付勢力によって跳ね上げることができる。これにより、ディスクＤとドア板２１とを非接触とすることができるため、ディスクＤの記録面側に傷が付くことが防止することができる。図５の状態において回転式ドア２０はドア板２１がディスクＤの先端に押し上げられることにより回動させられているにも拘わらず、図６の状態において回転式ドア２０はトーションバネ４０の付勢力によって回動させられている。
【００４１】
また、図５の状態において、ディスクＤの先端がドア板２１に接触しない限り、回転式ドア２０は開口１２ａを開放させる方向に回動しないため、トーションバネ４０の付勢力は回転式ドア２０が開口１２ａを閉鎖させる方向に付勢しているといえる。従って、ディスクＤのアンロードを行わない限り、開口１２ａを閉鎖しておくことができるため、ほこり等が筐体１２の内部に入り込むことが防止できる。
【００４２】
このように、トーションバネ４０の付勢力が、ドア板２１が開口１２ａを閉鎖するように回転式ドア２０を付勢する状態と、ドア板２１が開口１２ａを開放するように回転式ドア２０を付勢する状態とに切り替わる条件を以下に説明する。
【００４３】
図７は、回転式ドア２０が回動する様子を模式的に示している。同図において、破線により示した円の中心は回動軸２３を表している。また、破線の円周上において実線で示す弧は回転式ドア２０が回動する際の穴２４が移動する軌跡を示している。一方、穴１４は破線の円の外におい点で示している。上段の図においてトーションバネ４０の図示を省略しているが、下段に示すようにトーションバネ４０の付勢力は、トーションバネ４０の両端４０ａ，４０ｂがそれぞれ保持された穴１４，２４を結ぶ直線（作用線というものとする。以下、同じ。）上において、両者を外側に離反させる方向に作用している。トーションバネ４０の圧縮量によって付勢力の大きさは変動するものの、以上説明した穴１４，２４の位置と付勢力の方向との関係は常に保たれると考えることができる。
【００４４】
ここで、トーションバネ４０の付勢力が作用する部位は穴１４，２４であるため、穴１４を第一の作用点１４と表記するものとし、穴２４を第二の作用点２４と表記するものとする。上述のとおり第一の作用点１４と第二の作用点２４は互いを結ぶ作用線上において互いに離反する方向に付勢されているが、回転式ドア２０の回動に伴って第二の作用点２４が変位することとなる。すなわち、実線で示す弧上において第二の作用点２４が変位する。一方、第一の作用点１４は変位することのない筐体１２から延設された固定片１２ｂにて形成されているため、変位することはない。
【００４５】
図において、境界点と表記する位置に第二の作用点２４が位置するとき、第一の作用点１４と第二の作用点２４とを結んだ作用線上に回動軸２３が位置する。このとき、第二の作用点２４と回動軸２３とを結ぶ直線と、トーションバネ４０の付勢力の方向とが一致する。この状態において、トーションバネ４０の付勢力と、第二の作用点２４と回動軸２３とを結ぶアーム２２の圧縮応力との方向が同一線上となるため、両者は釣り合うことができる。また、このとき第二の作用点２４の軌道を示す弧の接線方向に付勢力の分力は発生しないため、第二の作用点２４を回動軸２３を中心として回転させるモーメントが生じない。
【００４６】
一方、境界点よりも下方に示す位置に第二の作用点２４が位置するとき、第二の作用点２４と回動軸２３とを結ぶ直線と、トーションバネ４０の付勢力の方向とがずれる。このとき、付勢力の一部がアーム２２の圧縮応力と釣り合うことができるが、一部は図に示すような第二の作用点２４の軌道を示す弧の接線方向に作用する分力に分解される。従って、第二の作用点２４を回動軸２３を中心として回転させるモーメントが生じ、開口１２ａが閉鎖するように回転式ドア２０が付勢されることとなる。従って、図において開口１２ａが閉鎖するときの第二の作用点２４の位置を境界点よりも下方に形成しておくことにより、開口１２ａが閉鎖するように回転式ドア２０が付勢することができる。
【００４７】
一方、境界点よりも上方に示す位置に第二の作用点２４が位置するときも、第二の作用点２４と回動軸２３とを結ぶ直線と、トーションバネ４０の付勢力の方向とがずれる。この場合も、付勢力の一部がアーム２２の圧縮応力と釣り合うことができるが、一部は図に示すような第二の作用点２４の軌道を示す弧の接線方向に作用する分力に分解される。従って、第二の作用点２４を回動軸２３を中心として回転させるモーメントが生じ、開口１２ａが開放するように回転式ドア２０が付勢されることとなる。従って、図において開口１２ａが開放するときの第二の作用点２４の位置を境界点よりも上方に形成しておくことにより、開口１２ａが開放するように回転式ドア２０が付勢することができる。
【００４８】
このようにすることにより、境界点を境界として開口１２ａが開放するようにも、閉鎖するようにも回転式ドア２０をトーションバネ４０の付勢力によって付勢することができる。ディスクＤをアンロードする際にディスクＤの先端がドア板２１を押し上げるが、少なくともディスクＤの先端がドア板２１を押し上げる量を、第二の作用点２４が閉状態の位置から境界点の位置に到達させる量よりも多くすることにより、ディスクＤの先端がドア板２１を押し上げる途中に、ドア板２１を跳ね上げる力をディスクＤの先端による押し上げからトーションバネ４０の付勢力に切り替えさせることができる。
【００４９】
言い換えれば、アンローダとしてのローラ３１，３１によって押し出されたディスクＤの先端に押圧されて回転式ドア２０が回動する際の第二の作用点２４の回転軌道上に境界点が存在するようにすれば、ドア板２１を跳ね上げる力をディスクＤの先端による押し上げからトーションバネ４０の付勢力に切り替えさせることができる。上述したとおり、トーションバネ４０の付勢力によってドア板２１を跳ね上げることができれば、ディスクＤとドア板２１とが接触することを要しなくなるため、ディスクＤがドア板２１によって傷つけられることもない。また、ディスクＤを手で取り出した後も、開口１２ａを開放するように回転式ドア２０が付勢されているため、不用意に回転式ドア２０が閉じられてしまうこともない。むろん、アンロードする際に、わざわざ回転式ドア２０を開放させておく必要もないため、スロットイン方式の利便性が損なわれることもない。
【００５０】
また、ディスクＤの先端がドア板２１を押し上げる量を、第二の作用点２４が閉状態の位置から境界点の位置に到達させる量よりも多くするためには、アンローダとしてのローラ３１，３１によるディスクＤの送り出し量を多く設定しておけばよい。一方、ディスクＤをロードした後にドア板２１を軽く押さえることにより、開状態となる位置にあった第二の作用点２４が境界点に到達し、その後はトーションバネ４０の付勢力により開口１２ａを閉鎖することができる。境界点に到達した後は、トーションバネ４０の付勢力が閉状態とする方向に作用するため中途半端な回転位置で回転式ドア２０の回動が停止してしまうこともない。すなわち、回転式ドア２０を閉状態にて係合させるような機構を設けることなく、確実に開口１２ａを閉鎖し、ほこり等の侵入を確実に防止することができる。
【００５１】
図８は、図５に示した状態の液晶テレビジョン１０を正面から見て示している。同図において、ドア板２１からディスクＤの外円の曲率と同様の曲率によって、中央部が薄くなるように突出構造２５が形成されている。そして、ディスクＤがアンロードされる際には、緩衝機構としての突出構造２５とディスクＤの外縁とが当接するようにされている。このようにすることにより、ディスクＤの外形とドア板２１とが当接する際の接触面積を増大させることができ、衝撃を広く分散させることができるため、ディスクＤに外形欠け等が発生することを防止することができる。また、図９に示すように突出構造２５に布等の衝撃吸収素材を貼り付けるようにしても良い。衝撃吸収素材としては、合成樹脂や布等を利用しても良い、中空状のエアクッション構造等を適用することもできる。
【００５２】
以上説明したように、本発明において、第二の作用点２４の回転軌道上に境界点が存在するようにしたため、境界点を境界として開口１２ａが開放するようにも、閉鎖するようにも、回転式ドア２０をトーションバネ４０の付勢力によって付勢することができる。これにより、第二の作用点２４が境界点に到達するまでは開口１２ａをドア板２１によって確実に閉鎖することができるとともに、第二の作用点２４が境界点に到達した後はディスクＤに押し上げられなくても開状態となるように回転式ドア２０を回動させることができる。従って、ディスクＤをアンロードする際の抵抗が減るとともに、ディスクＤとドア板２１との接触によりディスクＤに傷が付くことも防止できる。
【図面の簡単な説明】
【００５３】
【図１】液晶テレビジョンの斜視図である。
【図２】回転式ドアの正面図である。
【図３】回転式ドアの背面図である。
【図４】液晶テレビジョンの断面図である。
【図５】液晶テレビジョンの断面図である。
【図６】液晶テレビジョンの断面図である。
【図７】回転式ドアが回転する際に作用する力の様子を示す模式図である。
【図８】液晶テレビジョンの正面図である。
【図９】液晶テレビジョンの正面図である。
【符号の説明】
【００５４】
１０…液晶テレビジョン
１１…液晶パネル
１２…筐体
１２ａ…開口
１２ｂ…固定片
１２ｃ…軸受け片
１３…軸受け穴
１４…第一の作用点（穴）
２０…回転式ドア
２１…ドア板
２２…アーム
２３…回動軸
２４…第二の作用点（穴）
２５…突出構造
３０…ＤＶＤドライブユニット
３１…ローラ（アンローダ）
４０…トーションバネ
Ｒ１，Ｒ２…回転方向
【図１】
2006040340.tif 000003
【図２】
2006040340.tif 000004
【図３】
2006040340.tif 000005
【図４】
2006040340.tif 000006
【図５】
2006040340.tif 000007
【図６】
2006040340.tif 000008
【図７】
2006040340.tif 000009
【図８】
2006040340.tif 000010
【図９】
2006040340.tif 000011